(57)【要約】【課題】  ゴルフクラブヘッドの重量の有用な構成を提供すること。【解決手段】  ゴルフクラブヘッド１００は、トップ部分１２２とボトム部分１２４を有するトウ領域１２０と、トップ部分１３２とボトム部分１３４を有するヒール領域１３０と、バックフェース１４０と、バックフェース１４０とは反対側のフロントフェース１５０と、バックフェース１４０の周囲に存在する第１重量部１６０と、バックフェース１４０側に存在しており、トウ領域１２０のボトム部分１２４に存在している第２重量部１７０を備えている。【選択図】  図１
2009028539.tif 000002
【特許請求の範囲】
【請求項１】
トップ部分とボトム部分を有するトウ領域と、
トウ領域とは反対側であり、トップ部分とボトム部分を有するヒール領域と、
バックフェースと、
バックフェースとは反対側のフロントフェースと、
バックフェースの周囲に存在する第１重量部と、
バックフェース側に存在しており、トウ領域のボトム部分に存在しており、第１重量部よりもバックフェースから遠くに存在している第２重量部と、を備えているゴルフクラブヘッド。
【請求項２】
第２重量部の全ては、第１重量部よりもバックフェースから遠くに位置している請求項１に記載のゴルフクラブヘッド。
【請求項３】
第２重量部は、バックフェースの周囲に位置している請求項１に記載のゴルフクラブヘッド。
【請求項４】
第２重量部は、第１重量部の上に位置している請求項１に記載のゴルフクラブヘッド。
【請求項５】
第１重量部は、バックフェースを第２重量部から分離している請求項１に記載のゴルフクラブヘッド。
【請求項６】
第１重量部は、第１材料を備えており、
第２重量部は、第１材料とは異なる第２材料を備えている請求項１に記載のゴルフクラブヘッド。
【請求項７】
第１重量部は、第１材料を備えており、
第２重量部は、第１材料を備えている請求項１に記載のゴルフクラブヘッド。
【請求項８】
第２重量部は、第１重量部と一体で形成されている請求項１に記載のゴルフクラブヘッド。
【請求項９】
第２重量部は、第１重量部と非共形である請求項１に記載のゴルフクラブヘッド。
【請求項１０】
第２重量部は、第１重量部と視覚的に区別される請求項１に記載のゴルフクラブヘッド。
【請求項１１】
第１重量部は、ほぼ均質である請求項１に記載のゴルフクラブヘッド。
【請求項１２】
ボディを有するゴルフクラブヘッドであって、
ボディは、
ヒール領域と、
ヒール領域とは反対側のトウ領域と、
フロントフェースと、
フロントフェースと反対側のバックフェースと、
フロントフェースからバックフェースに向けて、そしてバックフェースを超えて伸びており、トップレール幅を形成しており、ヒール領域からトウ領域に伸びているトップレールと、
トップレールとは略反対側のソールと、
トウ領域においてトップレールからソールまで伸びているサイド表面と、を備えており、
サイド表面はさらに、フロントフェースからバックフェースに向けて、そしてバックフェースを越えて伸びているサイド表面幅を備えており、
サイド表面幅は、トップレールからソールまで非一次的に増加しており、
サイド表面幅はソール直前で最大距離を有するゴルフクラブヘッド。
【請求項１３】
ソールは、フロントフェースからバックフェースに向けて、そしてバックフェースを超えて伸びているソール幅をさらに備えており、
ソール幅は、ヒール領域からトウ領域まで増加しており、
ソール幅の一部は、トップレール幅の一部の少なくとも２倍の幅である請求項１２に記載のゴルフクラブヘッド。
【請求項１４】
ソール幅は、フロントフェースからソール後方端まで伸びてソール後方壁の一部を形成しており、
ソール後方壁は、バックフェースからソール後方端まで伸びている請求項１３に記載のゴルフクラブヘッド。
【請求項１５】
バックフェース側に存在しており、ヒール領域からトウ領域まで伸びているとともに一体で形成されている弓状補強部材をさらに備えている請求項１２に記載のゴルフクラブヘッド。
【請求項１６】
トップレール幅は、ヒール領域からトウ領域まで略一定である請求項１２に記載のゴルフクラブヘッド。
【請求項１７】
サイド表面幅は、サイド表面の第１部分に沿って略一定であり、
サイド表面の第１部分は、トップレールからトップレールとソールの中間点に近接する点まで伸びている請求項１２に記載のゴルフクラブヘッド。
【請求項１８】
サイド表面の第１部分は、トップレール幅と略同一の幅を備えている請求項１７に記載のゴルフクラブヘッド。
【請求項１９】
サイド表面幅は、サイド表面の第２部分に沿って増加しており、
サイド表面の第２部分は、前記中間点に近接する点からソールまで伸びている請求項１７に記載のゴルフクラブヘッド。
【請求項２０】
サイド表面の第１部分は、ソールよりもトップレールに近く、
サイド表面の第２部分は、トップレールよりもソールに近い請求項１９に記載のゴルフクラブヘッド。
【請求項２１】
ソール直前のサイド表面幅の最大距離は、トップレールにおけるサイド表面幅の少なくとも３倍である請求項１２に記載のゴルフクラブヘッド。
【請求項２２】
ゴルフクラブヘッドが鉄である請求項１２に記載のゴルフクラブヘッド。
【請求項２３】
サイド表面は、フロントフェースからバックフェースに向けて、そしてバックフェースを超えてサイドフェース後方端にまで伸びており、
サイドフェース後方端は、第１部分と第２部分と第３部分を備えており、
サイドフェース後方端の第１部分は、フロントフェースに略平行であり、トップレールからサイドフェース後方端の第２部分に向けて第１方向に伸びており、
サイドフェース後方端の第２部分は、サイドフェース後方端の第１部分と第３部分の間に中心移行領域を備えており、
サイドフェース後方端の第２部分は、トップレールとソールの中間点に近接しており、
サイドフェース後方端の第３部分は、フロントフェースに非平行であり、サイドフェース後方端の第２部分からソールに向けて第２方向に伸びており、
中心移行領域は、第１方向と第２方向の間の曲率半径を有する請求項１２に記載のゴルフクラブヘッド。
【請求項２４】
第１方向と第２方向の間の角度は、約１１５°から１５５°の範囲を備えている請求項２３に記載のゴルフクラブヘッド。
【請求項２５】
シャフトと、そのシャフトと接合するボディを備えており、
そのボディは、
ボディに接合するホーゼルと、
ホーゼルに近接するヒール領域と、
ヒール領域とは反対側のトウ領域と、
フロントフェースと、
フロントフェースとは反対側のバックフェースと、
フロントフェースからバックフェースに向けて、そしてバックフェースを超えて伸びており、ヒール領域からトウ領域に伸びており、ヒール領域からトウ領域まで略一定のトップレール幅をさらに備えるトップレールと、
トップレールとは反対側であり、フロントフェースからバックフェースに向けて、そしてバックフェースを超えて伸びているソール幅をさらに備えるソールと、
トウ領域においてトップレールからソールに伸びているサイド表面と、を備えており、
サイド表面はさらに、フロントフェースからバックフェースに向けて、そしてバックフェースを越えて伸びているサイド表面幅を備えており、
サイド表面幅は、サイド表面の第１部分に沿って一定であり、
サイド表面幅は、サイド表面の第２部分に沿って増加し、ソール直前で最大距離を有しており、
サイド表面は、トップレールにおいて最小距離を有しており、
ソール幅は、ヒール領域からトウ領域まで一次的に増加しており、
ソール幅は、トウ領域直前で最大幅を有しているゴルフクラブ。
【請求項２６】
バックフェース側に存在しており、ヒール領域からトウ領域まで伸びているとともに一体で形成されている弓状補強部材をさらに備えている請求項２５に記載のゴルフクラブ。
【請求項２７】
サイド表面の第１部分に沿ったサイド表面幅は、トップレール幅と略同一である請求項２５に記載のゴルフクラブ。
【請求項２８】
ソールにおけるサイド表面幅は、トップレールにおけるサイド表面幅の少なくとも３倍である請求項２５に記載のゴルフクラブヘッド。
【請求項２９】
ゴルフクラブヘッドを製造する方法であって、
ボディを提供する工程を備えており、そのボディは、
ホーゼルと、
ヒール領域と、
トウ領域と、
フロントフェースと、
バックフェースと、
フロントフェースからバックフェースに向けて、そしてバックフェースを超えて伸びており、ヒール領域からトウ領域まで伸びているトップレールと、
ソールと、
トウ領域においてトップレールからソールに伸びているサイド表面と、を備えており、
サイド表面はさらに、フロントフェースからバックフェースに向けて、そしてバックフェースを越えて伸びているサイド表面幅を備えており、
サイド表面幅は、トップレールからソールまで非一次的に増加しており、
サイド表面幅は、ソール直前で最大距離を有しているゴルフクラブヘッドの製造方法。
【請求項３０】
ボディを提供する工程は、
フロントフェースからバックフェースに向けて、そしてバックフェースを超えて伸びているソール幅を含むソールを提供することと、
ヒール領域からトウ領域まで増加するソール幅を提供することをさらに備えている請求項２９に記載のゴルフクラブヘッドの製造方法。
【請求項３１】
ボディを提供する工程は、
バックフェース側に存在しており、ヒール領域からトウ領域まで伸びているとともに一体で形成されている弓状補強部材を含むボディを提供することをさらに備えている請求項２９に記載のゴルフクラブヘッドの製造方法。
【請求項３２】
ボディを提供する工程は、
ソール後方端に向けて伸びてソール後方壁を形成するソール幅を提供することと、
バックフェースからソール後方端まで伸びるソール後方壁を提供することをさらに備えている請求項２９に記載のゴルフクラブヘッドの製造方法。
【請求項３３】
ボディを提供する工程は、
ヒール領域からトウ領域まで略一定の距離を有するトップレール幅を備えるトップレールを提供することをさらに備えている請求項２９に記載のゴルフクラブヘッドの製造方法。
【請求項３４】
ボディを提供する工程は、
サイド表面の第１部分に沿って略一定のサイド表面幅を提供することと、
トップレールからトップレールとソールの間の中間点に近接する点まで伸びている第１部分を提供することをさらに備えている請求項２９に記載のゴルフクラブヘッドの製造方法。
【請求項３５】
ボディを提供する工程は、
トップレール幅と略同一の幅を有する第１部分を提供することをさらに備えている請求項２９に記載のゴルフクラブヘッドの製造方法。
【請求項３６】
ボディを提供する工程は、
サイド表面の第２部分に沿って増加するサイド表面幅を提供することと、
前記中間点に近接する点からソールまで伸びている第２部分を提供することをさらに備えている請求項３４に記載のゴルフクラブヘッドの製造方法。
【請求項３７】
ボディを提供する工程は、トップレールのサイド表面幅の少なくとも３倍であるソール直前のサイド表面幅を提供することをさらに備えている請求項２９に記載のゴルフクラブヘッドの製造方法。
【請求項３８】
ゴルフクラブであって、
ゴルフクラブヘッドに接合するシャフトと、
シャフトに接合する請求項１に記載のゴルフクラブヘッドを備えており、
ゴルフクラブヘッドは、
トップ部分とボトム部分を有するトウ領域と、
トウ領域とは反対側であり、トップ部分とボトム部分を有するヒール領域と、
バックフェースと、
バックフェースとは反対側のフロントフェースと、
バックフェースの周囲に存在している第１重量部と、
バックフェース側に存在しており、トウ領域のボトム部分に存在しており、第１重量部よりもバックフェースから遠くに存在している第２重量部を備えているゴルフクラブ。
【発明の詳細な説明】
【技術分野】
【０００１】
本開示は、概してゴルフクラブヘッドに関する。本開示は特に、ゴルフクラブヘッド及びゴルフクラブヘッドの製造方法に関する。
【背景技術】
【０００２】
ゴルファーのスイングの機能性と、その結果として得られるゴルフショットを改善するために、ゴルフクラブ、とりわけゴルフクラブヘッドの様々なデザインが開発されている。特に、多くのゴルファーは、ボールを打つこと（ボールを「打ち下ろす」こと）、即ち、ボールを正面から常時打つことができないことや、その安定性に欠けていることが多い。例えば、重心位置及び慣性モーメント等のゴルフクラブヘッドの重量の基本的な構成を最適化するために、ゴルフクラブ、とりわけゴルフクラブヘッドのデザインの設計がなされている。そのようなデザインによって、ゴルファーの不安定性に係る問題を改善することができる。
【発明の開示】
【発明が解決しようとする課題】
【０００３】
本書で開示されるゴルフクラブ及びゴルフクラブヘッドは、ゴルフクラブヘッドの重量の有用な構成を提供することを目的としている。
【課題を解決するための手段】
【０００４】
ゴルフクラブヘッドは、トップ部分とボトム部分を有するトウ領域と、トップ部分とボトム部分を有するヒール領域と、バックフェースと、そのバックフェースとは反対側のフロントフェースと、バックフェースの周囲に存在する第１重量部と、バックフェース側であってトウ領域のボトム部分に存在する第２重量部とを備えている。
【発明を実施するための最良の形態】
【０００５】
簡素で明瞭な説明のために、図は構成の概要を表わしており、周知の特徴及び技術に係る詳細及び記述は、ゴルフクラブとその製造方法をいたずらに不明瞭にすることを避けるために省略することがある。さらに、図面中の要素は、必ずしも正確な縮小率で描かれていない。例えば、図面中のいくつかの要素の寸法は、ゴルフクラブとその製造方法の実施形態の理解を助けるために、他の要素と比較して誇張して描かれていることがある。異なる図面における同一の符号は、同一の要素であることを意味する。
【０００６】
記述及び請求項の「第１」、「第２」、「第３」、「第４」等の用語は、たとえ用いられていたとしても、類似の要素を区別するために用いられており、必ずしも特定の順序及び時間的な順序を表すものではない。ここに記載されるゴルフクラブ及び製造方法に係る実施形態がここに図示又は記載される事項以外の順序で実施可能であるように、そのような用語はしかるべき状況に応じて置換可能であることが理解されるだろう。また、「包含する」、「含む」、「有する」という用語及びそれらの他の変形例は、その他の含有物を非限定的に含むことを意図している。即ち、列挙された要素を備えたプロセス、方法、物又は装置は、それらの要素に必ずしも限定されるのではなく、そのようなプロセス、方法、物又は装置に明白に列挙されていない他の要素又は固有のものではない他の要素を含んでいてもよい。
【０００７】
記述及び請求項の「左」、「右」、「フロント（前）」、「バック（後）」、「トップ（上）」、「ボトム（底）」、「サイド（横）」、「下の」、「上の」等の用語は、たとえ用いられていたとしても、説明的な目的のために用いられており、普遍的な位置関係を説明するものではない。ここに記載されるゴルフクラブ及び製造方法に係る実施形態がここに図示又は記載される事項以外の位置関係で実施可能であるように、そのような用語はしかるべき状況に応じて置換可能であることが理解されるだろう。ここで用いられる「結合した」という用語は、電気的、物理的、機械的又は他の方法で直接的又は間接的に接続していることが定義されている。
【０００８】
ここに記載されるゴルフクラブ及び製造方法に係る一つの実施形態では、ゴルフクラブヘッドは、トップ部分及びボトム部分を有するトウ領域と、トップ部分及びボトム部分を有するとともにトウ領域とは反対側のヒール領域とを備えている。本実施形態では、ゴルフクラブヘッドは、ヒール領域のトップ部分に近接するホーゼルを備えていてもよい。しかしながら、他の実施形態では、ゴルフクラブヘッドは、ホーゼルに代えてボア（穴）を備えていてもよい。ゴルフクラブヘッドがホーゼル又はボアのいずれを備えていたとしても、ゴルフクラブヘッドは、バックフェース、そのバックフェースとは反対側のフロントフェース、バックフェースの周囲に存在する第１重量部、及びバックフェースに存在する第２重量部を備えている。第２重量部は、トウ領域のボトム部分に位置しており、第１重量部よりもバックフェースからより遠くに位置している。
【０００９】
ゴルフクラブ及び製造方法に係る他の一つの実施形態では、ゴルフクラブヘッドは、ヒール領域と、ヒール領域とは反対側のトウ領域と、フロントフェースと、フロントフェースとは反対側のバックフェースとを備えている。ゴルフクラブヘッドはまた、フロントフェースからバックフェースに向けて、そしてバックフェースを超えて伸びており、トップレール幅を形成するトップレールを備えている。トップレールは、ヒール領域からトウ領域まで伸びている。ゴルフクラブヘッドはまた、トップレールとは略反対側のソールと、トウ領域側においてトップレールからソールに伸びているサイド表面を備えている。この実施形態では、サイド表面は、フロントフェースからバックフェースに向けて、そしてバックフェースを超えて伸びているサイド表面幅を備えている。サイド表面幅は、トップレールからソールまで非一次的に増加する。サイド表面幅は、ソール直前で最大距離を有する。
【００１０】
ここで、図面を参照する。図１は、ここに記載されるゴルフクラブ及び製造方法に係る実施形態に基づく典型的なゴルフクラブヘッド１００の背面図を示す。なお、ゴルフクラブヘッド１００は、ボディとも称される。また、ゴルフクラブヘッド１００は、ボディを含むこともある。ゴルフクラブヘッド１００は、トップ部分１２２とボトム部分１２４を有するトウ領域１２０と、トップ部分１３２とボトム部分１３４を有するとともにトウ領域１２０とは反対側のヒール領域１３０とを備えている。ゴルフクラブヘッド１００はさらに、ヒール領域１３０のトップ部分１３２に近接するホーゼル１０５を備えている。ゴルフクラブヘッド１００は、バックフェース１４０と、バックフェース１４０とは反対側のフロントフェース１５０（図２）と、バックフェース１４０の周囲に存在する第１重量部１６０と、バックフェース１４０側に存在する第２重量部１７０とを備えている。第２重量部１７０は、トウ領域１２０のボトム部分１２４に、又はそれに近接して位置している。第２重量部１７０は、第１重量部１６０よりもバックフェース１４０から遠くに位置している。第２重量部１７０は、クラブヘッドの周囲において追加の重量増加を提供することができる。これにより、ゴルファーは、より最適化された方法で、クラブをスイングすることができる。第２重量部１７０は、ソール３９０（図３）とトウ領域１２０の境界に位置していてもよい。トウ領域の低い位置に追加で重量増加すると、追加された重量によって、ゴルファーは、スイングを「振り下ろす」とともに「振りぬく」よう誘導され、結果として有用なスイング面でスイングすることが可能になる。
【００１１】
ここに記載されているゴルフクラブ及び製造方法に係る様々な実施形態によれば、例えば、第２重量部１７０は、主としてトウ領域１２０のボトム部分１２４にのみ位置していてもよい。ゴルフクラブ及び製造方法に係る一つの実施形態によると、第１重量部１６０はトウ領域１２０に存在している。第１重量部１６０はまた、ヒール領域１３０に位置してもよい。第１重量部１６０はまた、バックフェース１４０のトップ部分１８１、ボトム部分１９１、サイド部分１２１，１３１に位置してもよい。ゴルフクラブ及び製造方法に係る一つの実施形態によると、第１重量部１６０は、バックフェース１４０の周囲を完全に一巡する必要はない（例えば、バックフェース１４０の周囲に沿って連続的に一巡して伸びている）。例えば、第１重量部１６０は、バックフェース１４０の周囲に沿って２以上の部分に分割されていてもよい。
【００１２】
図１及び図１１を参照する。なお、図１１は、図１の１１−１１線に対応した断面図である。ゴルフクラブ及び製造方法に係る一つの実施形態によれば、ゴルフクラブヘッド１００は、第１重量部１６０よりもバックフェース１４０（図１）から遠くに位置している第２重量部１７０を備えている。例えば、第２重量部１７０は、第１重量部１６０よりも約１．０から２．０cm突出している。ゴルフクラブ及びその製造方法に係る様々な実施形態によると、様々な実施形態は、バックフェース１４０の周囲の一部に、及び／又はその周囲の一部のみに位置している第２重量部１７０を備えていてもよい。ゴルフクラブ及び製造方法に係るさらに他の一つの実施形態によると、第２重量部１７０は第１重量１６０の上に位置してもよい。ゴルフクラブ及び製造方法に係るもうさらに他の一つの実施形態によると、ゴルフクラブヘッド１００は、第２重量部１７０からバックフェース１４０を分離する第１重量部１６０を備えている。
【００１３】
ゴルフクラブ及び製造方法に係る他の一つの実施形態によると、第１重量部１６０は第１材料とすることができ、第２重量１７０は第１材料とは異なる第２材料とすることができる。例えば、第１材料は鉄を有することができ、第２材料はチタン合金を有することができる。第１材料及び第２材料は同様に、他の材料を有することができる。第１材料は、第２材料よりも高い密度、第２材料よりも低い密度、又は第２材料と同一の密度を有することができる。
【００１４】
しかしながら、他の実施形態によると、第１重量部１６０は第１材料を有し、第２重量１７０もまた第１材料を有している。例えば、第１材料は鉄、タングステン等のような元素金属を有し、又は第１材料は金属合金を有していてもよい。
【００１５】
ゴルフクラブ及び製造方法に係る他の一つの実施形態によると、図５を参照すれば、ゴルフクラブヘッド１００は、第１重量部１６０と一体で形成されている第２重量部１７０を備えている。即ち、例えば、第２重量部１７０は、鋳造のように、同時に及び／又は第１重量部１６０と同一の金型で製造されてもよい。例えば、図１１を参照すると、断面図は、第１重量部１６０と一体で形成されている第２重量部１７０を示す。しかしながら、代替の実施形態によると、図７を参照すれば、ゴルフクラブヘッド７００は、第１重量部１６０と一体で形成されていない第２重量部７７５を備えている。この実施形態では、第２重量部７７５は、金属を接合するのに適切な方法を用いて第１重量部１６０に接合することができる。適切な方法は、例えば、溶接、かしめ等である。
【００１６】
図１に戻る。ゴルフクラブ及び製造方法に係る一つの実施形態によると、ゴルフクラブは、第１重量部１６０と非共形である第２重量部１７０を備えている。例えば、第２重量部１７０の輪郭１７１は、線引きされ可視化されている。この実施形態では、第２重量部１７０は、第１重量部１６０から視覚的に区別される。さらに、ゴルフクラブ及び製造方法に係るいくつかの実施形態では、第２重量部１７０は、背面図（図１）、底面図（図３）、平面図（図２）、ヒール側の側面図（図６）、トウ側の側面図（図５）、及び／又は断面図（図１１）から明白に区別される。ゴルフクラブ及びその製造方法に係るさらに他の一つの実施形態によると、第２重量部１７０から第１重量部１６０への変わり目は、ある高さから次の高さへと、実質的に一定に及び／又は滑らかに、又は連続的に移行する。
【００１７】
ゴルフクラブ及び製造方法に係る他の一つの実施形態によると、図２を参照すれば、ゴルフクラブヘッド１００は、フロントフェース１５０からバックフェース１４０（図１）に向けて、そしてバックフェース１４０（図１）を超えて伸びており、トップレール幅２８５を形成するトップレール２８０を備えている。トップレール２８０は、ヒール領域１３０からトウ領域１２０まで伸びている。ゴルフクラブヘッド１００はまた、トップレール２８０に対して略反対側のソール３９０（図３）と、トウ領域１２０においてトップレール２８０からソール３９０まで伸びているサイド表面５２５（図５）を備えている。本実施形態では、サイド表面５２５はさらに、フロントフェース１５０からバックフェース１４０（図１）に向けて、そしてバックフェース１４０（図１）を超えて伸びているサイド表面幅５２７を備えている。そのサイド表面幅５２７は、トップレール２８０からソール３９０まで非一次的に増加している。サイド表面幅５２７は、ソール３９０直前で最大距離を有する。
【００１８】
ゴルフクラブ及び製造方法に係るさらに他の一つの実施形態によると、図３を参照すれば、ゴルフクラブヘッド１００は、フロントフェース１５０からバックフェース１４０（図１）に向けて、そしてバックフェース１４０（図１）を超えて伸びているソール幅３９５を有するソール３９０を備えている。ここで、ソール幅３９５はヒール領域１３０からトウ領域１２０まで増加しており、ソール幅３９５の一部はトップレール幅２８５（図２）の一部の少なくとも２倍とすることができる（図２）。ソール幅３９５は、フロントフェース１５０からソール後方端３９２まで伸びており、ソール後方壁６９６（図６）の一部を形成する。ソール後方壁６９６は、バックフェース１４０（図１）からバックフェース後方のソール後方端３９２まで伸びている。
【００１９】
また、トップレール幅２８５（図２）は略一定とすることができ、ソール幅３９５（図３）の最小値はトップレール幅２８５（図２）よりも大きくすることができる。いくつかの実施形態では、ソール幅３９５（図３）は、トップレール幅２８５の少なくとも２倍である（図２）。ソール幅３９５の最小値が、トップレール幅２８５の最大値の少なくとも２倍とすることができる。
【００２０】
ゴルフクラブ及び製造方法に係るさらに他の一つの実施形態によると、図２を参照すれば、ゴルフクラブヘッド１００は、ヒール領域１３０からトウ領域１２０まで略一定であるトップレール幅２８５を備えている。例えば、ヒール領域１３０における幅は、トウ領域１２０における幅と略同一であり、ヒール領域１３０とトウ領域１２０の間の全ての幅は同様に同一の幅である。
【００２１】
ゴルフクラブ及び製造方法に係る他の一つの実施形態によると、図５を参照すれば、ゴルフクラブヘッド１００は、サイド表面５２５の第１部分５２４に沿って略一定であるサイド表面幅５２７を備えている。サイド表面５２５の第１部分５２４は、トップレール２８０からトップレール２８０とソール３９０の間の中間点５２６に近接する点まで伸びていてもよい。さらに、いくつかの実施形態によれば、ゴルフクラブヘッド１００は、トップレール幅２８５（図２）に略同一の幅を有するサイド表面５２５の第１部分５２４を備えている。サイド表面５２５の第１部分５２４は、ソール３９０よりもトップレール２８０に近くてもよい。
【００２２】
ゴルフクラブ及び製造方法に係る一つの実施形態によると、ゴルフクラブヘッド１００は、サイド表面５２５の第２部分５２８に沿って増加するサイド表面幅５２７を備えている。サイド表面５２５の第２部分５２８は、中間点５２６に近接する点からソール３９０まで伸びていてもよい。サイド表面５２５の第２部分５２８は、トップレール２８０よりもソール３９０に近くてもよい。
【００２３】
一つの実施形態によると、サイド表面幅５２７は、トップレール２８０からソール３９０の間で低下しない。他の実施形態によると、サイド表面幅５２７は、トップレール２８０からソール３９０の間において、サイド表面５２５の一部で低下する。これら二つの実施形態のいずれか一方では、サイド表面幅５２７は、ソール３９０直前で最大距離を有しており、そのような最大距離はトップレール２８０において測定されるサイド表面幅５２７の少なくとも３倍とすることができる。さらに、図１２の断面図を参照すると、トップレール幅２８５はソール幅３９５よりも小さい。なお、図１２は、図２の１２−１２線に対応した断面図である。
【００２４】
ゴルフクラブ及び製造方法に係る他の一つの実施形態によると、図５を参照すれば、ゴルフクラブヘッド１００は、フロントフェース１５０からバックフェース１４０（図１）に向けて、そしてバックフェース１４０（図１）を超えてサイドフェース後方端５２３にまで伸びているサイド表面５２５を備えている。サイドフェース後方端５２３は、第１部分５９７と、第２部分５９８と、第３部分５９９を備えている。この実施形態では、サイドフェース後方端５２３の第１部分５９７は、フロントフェース１５０と略平行であり、トップレール２８０からサイドフェース後方端５２３の第２部分５９８に向けて第１方向５９６に伸びている。サイドフェース後方端５２３の第２部分５９８は、サイドフェース後方端５２３の第１部分５９７と第３部分５９９の間の中心移行領域５２９を備えている。サイドフェース後方端５２３の第２部分５９８は、中間点５２６に近接している。中心移行領域５２９は、第１方向５９６と第２方向５９２の間に曲率半径５９３を備えている（図１３，１４）。サイドフェース後方端５２３の第３部分５９９は、フロントフェース１５０に非平行であり、サイドフェース後方端５２３の第２部分５９８からソール３９０に向けて第２方向５９２に伸びている。
【００２５】
ゴルフクラブ及び製造方法に係る他の一つの実施形態によると、図６を参照すれば、ゴルフクラブヘッド１００は、第１方向５９６と第２方向５９２の間に鈍角６０７を備えている。鈍角６０７は、略１１５°から１５５°の間とすることができる。
【００２６】
図１に戻る。ゴルフクラブ及び製造方法に係る一つの実施形態によると、ゴルフクラブヘッド１００は、ヒール領域１３０からトウ領域１２０まで露出するバックフェース１４０に沿って伸びている一体で形成された弓状の補強部材１４１を備えている。ここに記載されるゴルフクラブ及び製造方法に係る様々な実施形態によると、ゴルフクラブヘッド１００のバックフェース１４０は、打球面（即ち、フロントフェース１５０（図２））の表面積の少なくとも５０％であってもよい。
【００２７】
ゴルフクラブ及び製造方法に係る一つの実施形態によると、弓状の補強リブ１４０は、挿入されるキャビティ重量７４２のために提供されるキャビティ７４５（図７）を部分的に画定することができる。キャビティ重量７４２はまた、特定のゴルファー用にゴルフクラブヘッド７００を仕立てるために、重量を調整することを可能にする。さらに、他の一つのキャビティ７４４は、ゴルフクラブヘッド７００の重量を追加で仕立てるために他の重量７４３用に提供される。他の一つのキャビティ７４４は、トウ領域１２０のトップ部分１２２（図１参照）に、又はトウ領域１２０のトップ部分１２２に近接して位置している。
【００２８】
図４を参照すると、上述のゴルフクラブ及び製造方法に係る実施形態はさらに、ゴルフクラブヘッド、例えばゴルフクラブヘッド１００に接合するシャフト４０５を有するゴルフクラブ４００を備えている。ここで開示される他のゴルフクラブヘッドもまた、シャフト４０５に接合することができ、ゴルフクラブ４００等のゴルフクラブを形成する。さらに、ここで開示される様々な実施形態によれば、ゴルフクラブ及びその製造方法は、アイアン、ドライバー、フェアウェイウッド、ハイブリッド、パター及び／又は他の適切なタイプのクラブに適用され得る。
【００２９】
ゴルフクラブ及びその製造方法に係る実施形態によると、図８を参照すれば、ゴルフクラブヘッドを製造する方法８００は、ゴルフクラブヘッドを提供する工程を備えている（ブロック８１０）。ブロック８１０のゴルフクラブヘッドは、図１−６及び図１１−１４に示されるゴルフクラブヘッド１００、及び／又は図７のゴルフクラブヘッド７００に類似していてもよい。この実施形態では、ブロック８１０のゴルフクラブヘッドは、第１重量部よりもバックフェースから遠い第２重量部を有していてもよく、これは、図１の第１重量部１６０及び第２重量部１７０に類似している。一例として、図１の第１重量部１６０及び第２重量部１７０として先述したように、第１及び第２重量部はゴルフクラブヘッドと一体で形成されていてもよい。
【００３０】
異なる実施形態によると、ゴルフクラブヘッドを製造する方法９００は、第１重量部を有するゴルフクラブヘッドを準備する工程を備えている（ブロック９１０）。例えば、ブロック９１０のゴルフクラブヘッド及び第１重量部は、図７のゴルフクラブヘッド７００及び第１重量部１６０に類似していてもよい。方法９００は、第２重量部を第１重量部に接合する工程を続けてもよい（ブロック９２０）。この接合工程では、第２重量部は、第１重量部よりもゴルフクラブヘッドのバックフェースから遠くに位置してもよい。ブロック９２０の第２重量部は、図７の第２重量７７５に類似していてもよい。接合工程には、溶接、かしめ、及び／又は他の適切な技術が含まれる。
【００３１】
さらに他の一つの製造方法に係る実施形態によると、ゴルフクラブを製造する方法１０００は、ゴルフクラブを準備する工程を備えている（ブロック１０１０）。ブロック１０１０のゴルフクラブヘッドは、図１−６及び図１１−１４に示されるゴルフクラブヘッド１００、及び／又は図７のゴルフクラブヘッド７００に類似していてもよい。この実施形態では、ブロック１０１０のゴルフクラブヘッドは、第１重量部よりもバックフェースから遠い第２重量部を有していてもよく、これは、図１の第１重量部１６０と第２重量部１７０に類似している。一例として、図１の第１重量部１６０及び第２重量部１７０として先述したように、第１及び第２重量部はゴルフクラブヘッドと一体で形成されてもよい。
【００３２】
方法１０００は、ゴルフクラブヘッドをシャフトに接合する工程を続けてもよい（ブロック１０２０）。ブロック１０２０のシャフトは、図４のシャフト４０５に類似していてもよい。一例として、ブロック１０２０の接合工程には、溶接、接着、貼接及び他の適切な技術が含まれる。
【００３３】
特定の手順が図８−１０に示されているが、これらの手順は他の時間的な順序で実施することができる。例えば、図８−１０に示される手順は、連続して実施したり、並行して実施したり、あるいは同時に実施してもよい。
【００３４】
図８−１０の方法における提供（準備）工程は、設計工程及び／又は製造プロセス、又は活動を含むことができる。一例として、図８のボディ１００は、金属の鋳造プロセスを利用して製造することができる。また、記載される方法は、図１−７及び図１１−１４を参照して記載されるボディ１００の他の性状、同様に図９，１０のボディ１００の性状を製造するためにも利用されてもよい。製造工程はまた、様々な組立品、仕上げ処理、熱処理、焼き戻し処理、研磨処理、エッチング処理、彫刻処理等を含んでいてもよい。
【００３５】
このような変形の追加例は上記に記載された。それにより、ゴルフクラブ及び製造方法に係る実施形態の開示は、ゴルフクラブ及び製造方法に係る権利範囲を例示することを意図するものであり、限定することを意図するものではない。例えば、一つの実施形態において、ゴルフクラブヘッドが図１の特徴の１つ又は複数を有するとともに、図２−７を参照して記載されている特徴を有していても、有していなくてもよい。同様に、異なる実施形態において、ゴルフクラブヘッドが図５の特徴の１つ又は複数を有するとともに、図１−３及び図６−７の特徴を有していても、有していなくてもよい。また、ゴルフクラブヘッドが図７の特徴の１つ又は複数を有するとともに、図１−６の特徴を有していても、有していなくてもよい。同様に、様々な図に係る１つ又は複数の特徴を有する異なる実施形態の他の置換が行われてもよい。ゴルフクラブ及び製造方法に係る権利範囲は、添付した請求項で請求される範囲にのみ限定されることを意図している。
【００３６】
ここで検討されたゴルフクラブ及び製造方法は、様々な実施形態で実施され得る。これら実施形態の上記した検討は、見込まれる全ての実施形態を完全に記述していない。むしろ、詳細な図面の記載、及び図面自身が、ゴルフクラブ及び製造方法に係る少なくとも一つの好ましい実施形態を開示しており、ゴルフクラブ及び製造方法に係る代替の実施形態を開示し得る。
【００３７】
特定の請求項で請求された全ての要素は、その特定の請求項において請求されているゴルフクラブ又は製造方法にとって必須のものである。このため、１つ又は複数のクレームされた要素の置換は、再構築するものであって、修繕するものではない。加えて、有益性、他の有用性及び課題の解決方法は、特定の実施形態に関して記載されている。しかしながら、それらの有益性、有用性、課題の解決方法及びそれらの有益性、有用性及び課題の解決方法をもたらし得る、又はそれらをより明示する如何なる要素も、いずれの又はすべての請求項の、必須、必要、又は本質的な要素であるとして解釈されるべきではない。
【００３８】
また、上記に記載した実施形態及び限定事項が（１）請求項において明白に記載されていない、及び／又は（２）均等の原則の下に請求項で表現された要素及び／又は制限と潜在的に均等である場合には、それらの実施形態及び限定事項は、貢献の原則の下に公共の利用に付されるものではない。
【図面の簡単な説明】
【００３９】
【図１】ここに記載されるゴルフクラブ及び製造方法に係る実施形態に基づく典型的なゴルフクラブヘッドの背面図を示す。
【図２】トップレールを現している典型的なゴルフクラブヘッドの平面図を示す。
【図３】ソールを現している典型的なゴルフクラブヘッドの底面図を示す。
【図４】第２実施形態に基づく典型的なゴルフクラブの正面図を示す。
【図５】トウ領域を現している図１に係る典型的なゴルフクラブヘッドの側面図を示す。
【図６】ヒール領域を現している典型的なゴルフクラブヘッドの側面図を示す。
【図７】第３実施形態に基づいて、非一体型のトウ重量を現している典型的なゴルフクラブヘッドの分解背面図を示す。
【図８】第４実施形態に基づいて、ゴルフクラブヘッドが製造され得る一つの方法を説明するフロー略図を示す。
【図９】第５実施形態に基づいて、ゴルフクラブが製造され得る他の一つの方法を説明するフロー略図を示す。
【図１０】第６実施形態に基づいて、ゴルフクラブヘッドが製造され得るさらに他の一つの方法を説明するフロー略図を示す。
【図１１】ここに記載される様々な要素を上から下に現している図１に係る典型的なゴルフクラブヘッドの断面図を示す。
【図１２】ここに記載される様々な要素を側方からヒール領域に向けて現している典型的なゴルフクラブヘッドの断面図を示す。
【図１３】第１方向と第２方向の間の角度を現している典型的なゴルフクラブヘッドの拡大図を示す。
【図１４】第１方向と第２方向の間の曲率半径を現す典型的なゴルフクラブヘッドの拡大図を示す。
【符号の説明】
【００４０】
１２０：トウ領域
１２２：トウ領域のトップ部分
１２４：トウ領域のボトム部分
１３０：ヒール領域
１３２：ヒール領域のトップ部分
１３４：ヒール領域のボトム部分
１４０：バックフェース
１５０：フロントフェース
１６０：第１重量部
１７０：第２重量部
【図１】
2009028539.tif 000003
【図２】
2009028539.tif 000004
【図３】
2009028539.tif 000005
【図４】
2009028539.tif 000006
【図５】
2009028539.tif 000007
【図６】
2009028539.tif 000008
【図７】
2009028539.tif 000009
【図８】
2009028539.tif 000010
【図９】
2009028539.tif 000011
【図１０】
2009028539.tif 000012
【図１１】
2009028539.tif 000013
【図１２】
2009028539.tif 000014
【図１３】
2009028539.tif 000015
【図１４】
2009028539.tif 000016
【外国語明細書】
2009028539000001.pdf
2009028539000002.pdf
2009028539000003.pdf
2009028539000004.pdf